(57)【要約】【課題】  視差補正と共に焦点距離を自動的に変化させる装置と倍率を変化させる装置とを備え、且つ無菌状態で操作可能にした拡大眼鏡を提供する。【解決手段】  自動的な焦点合わせのために２つのレンズ系に連係された自動合焦装置４と、角度を自動的に適合させるために自動合焦装置に結合された装置とを備え、各レンズ系の光軸Ｓが自動合焦装置によって検出された動作距離に互いに方向付けられるようにした拡大眼鏡において、ズーム機構14をもつズームレンズ系13からなる倍率変化装置を有し、光軸の角度を適合させるための装置は電気モータ５によって駆動される２つの位置決め機構７を有し、且つ前記倍率を変化させる装置には倍率を無段階的に変化させるためのフットスイッチ11を接続して構成する。【選択図】        図  ２
2006119656.tif 000002
【特許請求の範囲】
【請求項１】
それぞれ対物レンズ（１）と接眼レンズ（２）とを有する２つのレンズ系と、能動動作距離へのレンズ系の自動的な焦点合わせのためにレンズ系に連係された自動合焦装置（４）と、角度を自動的に適合させるために自動合焦装置（４）に結合された装置（５，７）とを備え、レンズ系の各位置において各レンズ系の光軸（Ｓ）がユーザの目の光学的中心を通過する態様で、各レンズ系の光軸（Ｓ）が、自動合焦装置（４）によって検出された動作距離に、互いに方向付けられるようにした拡大眼鏡において、該拡大眼鏡は各レンズ系において追加的にレンズ系の倍率を変化させる装置（13，14）を有していて、該拡大眼鏡のレンズ系の対物レンズは、それぞれ連係されたズーム機構（13）をもつズームレンズ系（14）として構成され、また各レンズ系の光軸（Ｓ）の角度を適合させるための装置（５，７）は、電気モータ（５）によって駆動され、各レンズ系を収容する筒（３）に対して動作上互いに間隔をおいて配置された２つの位置決め機構（７）を備えており、前記倍率を変化させる装置（13，14）は、倍率を無段階的に変化させるためフットスイッチ（11）に接続されていることを特徴とする拡大眼鏡。
【請求項２】
前記自動合焦装置（４）は、選択的に活動的に及び非活動的にされるように構成されていることを特徴とする請求項１に係る拡大眼鏡。
【請求項３】
音声制御で、自動合焦装置により焦点距離を変化させ、またズームレンズ系（14）及びズーム機構（13）により倍率を変化させる装置（15，16）を備えていることを特徴とする請求項１に係る拡大眼鏡。
【請求項４】
各倍率に適合させた計測目盛りが、対象物の寸法を精密に計測するため、レンズ系の焦点面内に重ねて配置されていることを特徴とする請求項１に係る拡大眼鏡。
【発明の詳細な説明】
【技術分野】
【０００１】
本発明は、最新の焦点距離に視差を自動的に整合させる装置を結合した焦点距離を自動的に変化させる装置を備えた視覚拡大補助具として用いる拡大眼鏡に関する。
【背景技術】
【０００２】
拡大眼鏡は、その主要な用途を、手術顕微鏡は技術的及び解剖学的理由で使えず、さりとて裸眼でははっきり見えないような外科の分野に向けている。この種の外科分野は、通常血管外科と神経外科である。手術中にはしばしば、動作距離つまり目と手術点との距離と、倍率との双方又はいずれか一方を変えた方がよい場合があり、そればかりか変えなければならない場合さえある。公知の手術用眼鏡又は拡大眼鏡では、この要求を満たすことができず、使えても不十分でしかない。先行技術のいずれを探索しても、視差補正と共に焦点距離を自動的に変化させる装置と倍率を変化させる装置との双方を兼ね備えた拡大眼鏡は知られていない。この点に関連して、次の資料を参照し以下に要約する。
【０００３】
ＡＴ  Ｅ９８  ７８２Ｂ（特許文献１）は、手術用の拡大眼鏡に関し、焦点距離を自動的に変化させる装置を有し、該装置は視差を最新の焦点距離に自動的に整合させる装置とも機械的に連結している。被検体からの最新の距離の判定は、超音波センサ又は光センサを用いて実行している。
【０００４】
ＵＳ  ４  ８６５  ４３８  Ａ（特許文献２）も、拡大眼鏡特に手術用拡大眼鏡に関し、その焦点距離は自動的に被検体の最新の距離に調整されるようになっている。その距離判定は、特許文献１と同様に実行される。
【０００５】
ＵＳ  ４  ８０７  ９８５  Ａ（特許文献３）とＤＥ  ３７  ２０  １９０  Ａ１（特許文献４）とは、遠近の物体の観察の困難な視覚障害者用の望遠眼鏡を開示している。特許文献３による眼鏡は、焦点距離を自動的に変化させ且つ傾斜角を使用者の頭部位置に整合させる装置を有する。特許文献４による眼鏡は、焦点距離を変化させる手操作装置（滑り込みプリズム）及び視差を補正する手操作装置（駆動レバー）を有する。
【０００６】
ＵＳ  ５  ０７８  ４６９  Ａ（特許文献５）で開示されている手術用拡大眼鏡は、ズームレンズ系を有するビデオカメラを備えていて、写真撮影記録のみならずファイバー光学系を用いて照明した術者の視野を遠隔ステーションへ伝送することもできる。
【特許文献１】ＡＴ  Ｅ９８  ７８２Ｂ
【特許文献２】ＵＳ  ４  ８６５  ４３８  Ａ
【特許文献３】ＵＳ  ４  ８０７  ９８５  Ａ
【特許文献４】ＤＥ  ３７  ２０  １９０  Ａ１
【特許文献５】ＵＳ  ５  ０７８  ４６９  Ａ
【発明の開示】
【発明が解決しようとする課題】
【０００７】
固定焦点の眼鏡の使用者にとって、こういった装置の必要性は（胃腔手術のような）一定の事情の下で当然の帰結であって、こういう使用者は、目と手術野との間隔を一定に保つため、自分の頭部を切開した胃壁に近づけて動かさなければならず、したがって一方では人間工学的に不快な姿勢へ移動し、他方、介添えの医師の視野を自分の頭部で遮って、介添えをますます困難にせざるを得ない。焦点を手操作で調節できる拡大眼鏡も、焦点を前もって変えることだけはできるが、手術中は無菌状態を要するため操作できないので、このような事態の改善には役立たない。
【０００８】
本発明は、前述の欠点を除去することを目的とし、且つ該拡大眼鏡が倍率を変化させる装置を付加的に有することを特徴とする。
【課題を解決するための手段】
【０００９】
該拡大眼鏡の望ましい構造上の改善は、調整可能な倍率を無段階で変化させる装置をフットスイッチに接続することと、焦点距離と倍率とを変化させる装置を音声制御することと、被検体の寸法を精密計測するため最新の倍率に整合した計測目盛りを焦点面で視認することができることとを特徴とする。
【００１０】
具体的には、請求項１に係る発明は、それぞれ対物レンズ（１）と接眼レンズ（２）とを有する２つのレンズ系と、能動動作距離へのレンズ系の自動的な焦点合わせのためにレンズ系に連係された自動合焦装置（４）と、角度を自動的に適合させるために自動合焦装置（４）に結合された装置（５，７）とを備え、レンズ系の各位置において各レンズ系の光軸（Ｓ）がユーザの目の光学的中心を通過する態様で、各レンズ系の光軸（Ｓ）が、自動合焦装置（４）によって検出された動作距離に、互いに方向付けられるようにした拡大眼鏡において、該拡大眼鏡は各レンズ系において追加的にレンズ系の倍率を変化させる装置（13，14）を有していて、該拡大眼鏡のレンズ系の対物レンズは、それぞれ連係されたズーム機構（13）をもつズームレンズ系（14）として構成され、また各レンズ系の光軸（Ｓ）の角度を適合させるための装置（５，７）は、電気モータ（５）によって駆動され、各レンズ系を収容する筒（３）に対して動作上互いに間隔をおいて配置された２つの位置決め機構（７）を備えており、前記倍率を変化させる装置（13，14）は、倍率を無段階的に変化させるためフットスイッチ（11）に接続されていることを特徴とするものである。
【００１１】
また請求項２に係る発明は、請求項１に係る拡大眼鏡において、前記自動合焦装置（４）は、選択的に活動的に及び非活動的にされるように構成されていることを特徴とするものである。
【００１２】
また請求項３に係る発明は、請求項１に係る拡大眼鏡において、音声制御で、自動合焦装置により焦点距離を変化させ、またズームレンズ系（14）及びズーム機構（13）により倍率を変化させる装置（15，16）を備えていることを特徴とするものである。
【００１３】
また請求項４に係る発明は、請求項１に係る拡大眼鏡において、各倍率に適合させた計測目盛りが、対象物の寸法を精密に計測するため、レンズ系の焦点面内に重ねて配置されていることを特徴とするものである。
【発明の効果】
【００１４】
例えば、血管の外科手術中に、手術部分の位置がさまざまなために作業距離を変化させることが必要となれば、本発明による視覚補助具となる拡大眼鏡は、焦点距離の自動的対応又は手動的対応と視差角度の自動的対応とが可能な特徴に基づき、当該要求に適応できる。かくして、手術中の動作に常に対応する最適な光学的構成を確保することができ、従来に比べはるかに疲労の少ない手術が、最高に有利な人間工学的姿勢を選べることによって可能となる。その上、本発明による該視覚補助具では、どんな特定の作業距離でも必要に応じて倍率を無菌状態で整合させることができる。
【発明を実施するための最良の形態】
【００１５】
次に、本発明を実施するための最良の形態について説明する。
【実施例】
【００１６】
例に挙げた実施例を更に詳細に、図を参照しながら以下に説明する。図１〜図３の２群のレンズ系は、それぞれ対物レンズ１と接眼レンズ２とを含み、２個の鏡筒３内に配設されており、該鏡筒の内部又は中間には、焦点距離を変化させたときに視差を補正し且つ焦点距離自体を変化させる自動合焦装置４と電気モーター５，６のそれぞれと、それらに随伴する位置決め機構７とが取り付けられている。かくして、それぞれの姿勢での鏡筒の光軸Ｓは、投射中心８，つまり目９の光学的中心点を通過することが保証される。電線10は該拡大眼鏡をフットスイッチ11に接続し、このフットスイッチ11を起動することによって、焦点距離と倍率のいずれも変化させることができる。外部制御ユニット12は、該拡大眼鏡の頭部装着帯に取り付けられるか、又は使用者のバンドやその他の同様な部分に取り付けられ、機構部のためと、該機構部のモーターを制御し且つ光学素子について計算するためのチップのための電源を含み、実際の動作距離に要する相互の光軸角度と対物レンズ１及び接眼レンズ２中におけるレンズの位置とを計算して、位置決め機構５，６を用いて該レンズを位置決めする。
【００１７】
次に、図２の拡大眼鏡は、ズーム式眼鏡として構成され、対物レンズ１内にズームレンズ系13を備え、また結合されたズーム機構14を備えている。
【００１８】
図３には、拡大眼鏡の典型的な実施例を示し、この拡大眼鏡はマイクロホン16を伴う音声制御モジュール15を付加的に備えている。
【図面の簡単な説明】
【００１９】
【図１】視差を最新の焦点距離と自動的に整合させる装置に、焦点距離可変装置を連結した本発明に係る拡大眼鏡の第１の実施例を示す。
【図２】ズームレンズ系を有するズーム式眼鏡として構成された本発明に係る拡大眼鏡を示す。
【図３】焦点距離及び倍率の音声制御による変化装置を備えた本発明に係る拡大眼鏡の実施例を示している。
【符号の説明】
【００２０】
１  対物レンズ
２  接眼レンズ
３  鏡筒
４  自動合焦装置
５，６  電気モータ
７  位置決め装置
８  投射中心
９  目
10  電線
11  フットスイッチ
12  外部制御ユニット
13  ズームレンズ系
14  ズーム機構
15  音声制御モジュール
16  マイクロホン
Ｓ  光軸
【図１】
2006119656.tif 000003
【図２】
2006119656.tif 000004
【図３】
2006119656.tif 000005